(57)【要約】【課題】ＳＳＣＧを使用した機器の待機電力を削減する。【解決手段】制御装置は、第１クロック信号（ＣＬＫ１）を生成する第１クロック生成部３１）と、第１クロック信号と非同期の第２クロック信号（ＣＬＫ２）の生成を制御するための第１制御信号と、クロック信号の出力を切り替え制御する第２制御信号と、を出力するクロック制御回路（１３）と、第１クロック信号と第１制御信号とに基づき第２クロック信号を生成する第２クロック生成部（３２）と、第２制御信号に従い、第１クロック信号または第２クロック信号のうち、切り替え前のクロック信号の状態をそのクロック信号のサイクルの少なくとも半周期の間、保持した後に交代的に切り替えて、切り替え後のクロック信号を出力する切り替え制御回路（２２）とを有する。【選択図】　図２
2004046301.tif 000002
【特許請求の範囲】
【請求項１】
第１クロック信号を生成する第１クロック生成手段と、
前記第１クロック信号と非同期の第２クロック信号の生成を制御するための第１制御信号と、クロック信号の出力を切り替え制御する第２制御信号と、を出力するクロック制御手段と、
前記第１クロック信号と前記第１制御信号とに基づき前記第２クロック信号を生成する第２クロック生成手段と、
前記第２制御信号に従い、前記第１クロック信号または前記第２クロック信号のうち、切り替え前のクロック信号の状態を該クロック信号のサイクルの少なくとも半周期の間、保持した後に交代的に切り替えて、該切り替え後のクロック信号を出力する切り替え制御手段と、
を有することを特徴とする制御装置。
【請求項２】
前記切り替え制御手段は、前記クロック信号を切り替える際に、切り替え前のクロック信号のＨｉｇｈレベル期間およびＬｏｗレベル期間よりも短くならないように切り替えタイミングを制御することを特徴とする請求項１に記載の制御装置。
【請求項３】
前記クロック制御手段は、稼動状態または待機状態を判断し、該判断に基づき前記第１及び第２制御信号を出力することをと特徴とする請求項１に記載の制御装置。
【請求項４】
前記待機状態の場合に、前記第２クロック生成手段は前記第２クロック信号を生成しないことを特徴とする請求項１乃至３のいずれか１項に記載の制御装置。
【請求項５】
前記待機状態の場合に、前記切り替え制御手段は前記第１クロック信号を出力することを特徴とする請求項１乃至３のいずれか１項に記載の制御装置。
【請求項６】
前記第２クロック生成手段はスペクトル拡散クロックジェネレータを用いることを特徴とする請求項１乃至５のいずれか１項に記載の制御装置。
【請求項７】
外部機器から送信された情報に基づいて、記録ヘッドを搭載したキャリッジを記録媒体上で走査させて記録を行う記録装置であって、
前記外部機器から送信された情報を前記記録ヘッドの構成に合わせた記録データに変換する記録データ生成手段と、
前記記録データを処理するために、該記録装置を制御するシステム制御手段と、
を備え、該システム制御手段が、
第１クロック信号を生成する第１クロック生成手段と、
前記第１クロック信号と非同期の第２クロック信号の生成を制御するための第１制御信号と、クロック信号の出力を切り替え制御する第２制御信号と、を出力するクロック制御手段と、
前記第１クロック信号と前記第１制御信号とに基づき前記第２クロック信号を生成する第２クロック生成手段と、
前記第２制御信号に従い、前記第１クロック信号または前記第２クロック信号のうち、切り替え前のクロック信号の状態を該クロック信号のサイクルの少なくとも半周期の間、保持した後に交代的に切り替えて、該切り替え後のクロック信号を出力する切り替え制御手段と、
を有することを特徴とする記録装置。
【請求項８】
外部機器から送信された情報に基づいて、記録ヘッドを搭載したキャリッジを記録媒体上で走査させて記録を行う記録装置の制御方法であって、
前記外部機器から送信された情報を前記記録ヘッドの構成に合わせた記録データに変換する記録データ生成工程と、
前記記録データを処理するために、該記録装置を制御するシステム制御工程と、
を備え、該システム制御工程による処理は、前記記録装置を制御するためのクロック信号の設定するために、
第１クロック信号を生成する第１クロック生成工程と、
前記第１クロック信号と非同期の第２クロック信号の生成を制御するための第１制御信号と、クロック信号の出力を切り替え制御する第２制御信号と、を出力するクロック制御工程と、
前記第１クロック信号と前記第１制御信号とに基づき前記第２クロック信号を生成する第２クロック生成工程と、
前記第２制御信号に従い、前記第１クロック信号または前記第２クロック信号のうち、切り替え前のクロック信号の状態を該クロック信号のサイクルの少なくとも半周期の間、保持した後に交代的に切り替えて、該切り替え後のクロック信号を出力する切り替え制御工程と、
を有することを特徴とする記録装置の制御方法。
【発明の詳細な説明】
【０００１】
【発明の属する技術分野】
本発明はスペクトル拡散クロックジェネレータによってクロック信号を生成する制御装置及びその制御装置を利用した記録装置、記録装置の制御方法に関するものである。
【０００２】
【従来の技術】
マイクロプロセッサの性能向上に代表されるように、電子デバイスはその製造技術の発達により、目覚しい勢いで回路の微細化と高速化を進めつつある。その結果、各種の電子機器に搭載される論理回路の回路規模は増大し、動作周波数も上昇する傾向にある。回路規模の拡大や動作周波数の上昇は電子機器の性能を向上させる一方、電磁気的な放射雑音を増加させる要因ともなっている。電子機器の放射雑音は各種の公的規制によって上限が定められているため、放射雑音を抑えるための放射雑音対策技術は、電子機器の開発の上でますます重要な要素となりつつある。
【０００３】
近年では、放射雑音対策としてスペクトル拡散クロックジェネレータ（以下、「ＳＳＣＧ（Ｓｐｒｅａｄ　Ｓｐｅｃｔｒｕｍ　Ｃｌｏｃｋ　Ｇｅｎｅｒａｔｏｒ）」という。）を採用する例が多くなってきている。これはクロックの周波数を変動させることにより放射雑音の周波数成分を拡散させるものであり、放射雑音の低減に効果を発揮する。
【０００４】
【発明が解決しようとする課題】
しかしながら、ＳＳＣＧは一般的な論理素子に比べて消費電力が大きいという問題を有する。電子機器が動作中の時は動作部の消費電力が大きいため比較的問題とはなりにくいが、電子機器が待機中の時は各部の消費電力を抑えて待機電力を極力小さくしようとするため、ＳＳＣＧの消費電力は無視できない大きさとなる。そのためＳＳＣＧを使用した電子機器においては待機時に消費する待機電力を低減することが困難になるという問題が生じていた。
【０００５】
【課題を解決するための手段】
本発明は上記の点に鑑みて成されたもので、ＳＳＣＧを使用しながら、電子機器の待機電力を低減することを可能にする記録装置及びその記録装置の制御方法を提供することを目的としている。
【０００６】
上記目的を達成するため、本発明にかかる制御装置、その制御装置を利用した記録装置、記録装置の制御方法は以下の構成を有することを特徴とする。
【０００７】
すなわち、本発明にかかる制御装置は、第１クロック信号を生成する第１クロック生成手段と、
前記第１クロック信号と非同期の第２クロック信号の生成を制御するための第１制御信号と、クロック信号の出力を切り替え制御する第２制御信号と、を出力するクロック制御手段と、
前記第１クロック信号と前記第１制御信号とに基づき前記第２クロック信号を生成する第２クロック生成手段と、
前記第２制御信号に従い、前記第１クロック信号または前記第２クロック信号のうち、切り替え前のクロック信号の状態を該クロック信号のサイクルの少なくとも半周期の間、保持した後に交代的に切り替えて、該切り替え後のクロック信号を出力する切り替え制御手段と、
を有することを特徴とする。
【０００８】
好ましくは上記の制御装置において、前記切り替え制御手段は、前記クロック信号を切り替える際に、切り替え前のクロック信号のＨｉｇｈレベル期間およびＬｏｗレベル期間よりも短くならないように切り替えタイミングを制御する。
【０００９】
好ましくは上記の制御装置において、前記クロック制御手段は、稼動状態または待機状態を判断し、該判断に基づき前記第１及び第２制御信号を出力する。
【００１０】
好ましくは上記の制御装置において、前記待機状態の場合に、前記第２クロック生成手段は前記第２クロック信号を生成しない。
【００１１】
好ましくは上記の制御装置において、前記待機状態の場合に、前記切り替え制御手段は前記第１クロック信号を出力する。
【００１２】
好ましくは上記の制御装置において、前記第２クロック生成手段はスペクトル拡散クロックジェネレータを用いる。
【００１３】
また、外部機器から送信された情報に基づいて、記録ヘッドを搭載したキャリッジを記録媒体上で走査させて記録を行う記録装置は、
前記外部機器から送信された情報を前記記録ヘッドの構成に合わせた記録データに変換する記録データ生成手段と、
前記記録データを処理するために、該記録装置を制御するシステム制御手段と、
を備え、該システム制御手段が、
第１クロック信号を生成する第１クロック生成手段と、
前記第１クロック信号と非同期の第２クロック信号の生成を制御するための第１制御信号と、クロック信号の出力を切り替え制御する第２制御信号と、を出力するクロック制御手段と、
前記第１クロック信号と前記第１制御信号とに基づき前記第２クロック信号を生成する第２クロック生成手段と、
前記第２制御信号に従い、前記第１クロック信号または前記第２クロック信号のうち、切り替え前のクロック信号の状態を該クロック信号のサイクルの少なくとも半周期の間、保持した後に交代的に切り替えて、該切り替え後のクロック信号を出力する切り替え制御手段と、
を有することを特徴とする。
【００１４】
また、外部機器から送信された情報に基づいて、記録ヘッドを搭載したキャリッジを記録媒体上で走査させて記録を行う記録装置の制御方法は、
前記外部機器から送信された情報を前記記録ヘッドの構成に合わせた記録データに変換する記録データ生成工程と、
前記記録データを処理するために、該記録装置を制御するシステム制御工程と、
を備え、該システム制御工程による処理は、前記記録装置を制御するためのクロック信号の設定するために、
第１クロック信号を生成する第１クロック生成工程と、
前記第１クロック信号と非同期の第２クロック信号の生成を制御するための第１制御信号と、クロック信号の出力を切り替え制御する第２制御信号と、を出力するクロック制御工程と、
前記第１クロック信号と前記第１制御信号とに基づき前記第２クロック信号を生成する第２クロック生成工程と、
前記第２制御信号に従い、前記第１クロック信号または前記第２クロック信号のうち、切り替え前のクロック信号の状態を該クロック信号のサイクルの少なくとも半周期の間、保持した後に交代的に切り替えて、該切り替え後のクロック信号を出力する切り替え制御工程と、
を有することを特徴とする。
【００１５】
上記の構成によれば、待機状態においては制御装置は第１クロック信号を出力し、その制御装置を利用する記録装置はその第１クロック信号に基づいてシステム制御手段を動作させると共に、第２クロック生成手段（ＳＳＣＧ）における第２クロック信号の生成を停止させることによってＳＳＣＧの消費電力を低減し、装置の待機電力を低減させることができる。
【００１６】
【発明の実施の形態】
以下添付図面を参照して本発明の好適な実施形態について詳細に説明する。
【００１７】
なお、以下に説明する実施形態では、インクジェット記録方式を用いた記録装置としてプリンタを例に挙げ説明する。
【００１８】
本明細書において、「記録」（「プリント」という場合もある）とは、文字、図形等有意の情報を形成する場合のみならず、有意無意を問わず、また人間が視覚で知覚し得るように顕在化したものであるか否かを問わず、広く記録媒体上に画像、模様、パターン等を形成する、または媒体の加工を行う場合も表すものとする。
【００１９】
また、「記録媒体」とは、一般的な記録装置で用いられる紙のみならず、広く、布、プラスチック・フィルム、金属板、ガラス、セラミックス、木材、皮革等、インクを受容可能なものも表すものとする。
【００２０】
さらに、「インク」（「液体」と言う場合もある）とは、上記「記録（プリント）」の定義と同様広く解釈されるべきもので、記録媒体上に付与されることによって、画像、模様、パターン等の形成または記録媒体の加工、或いはインクの処理（例えば記録媒体に付与されるインク中の色剤の凝固または不溶化）に供され得る液体を表すものとする。
【００２１】
＜装置本体の概略説明＞
図７は、本発明の代表的な実施の形態であるインクジェットプリンタＩＪＲＡの構成の概要を示す外観斜視図である。図７において、駆動モータ５０１３の正逆回転に連動して駆動力伝達ギア５００９〜５０１１を介して回転するリードスクリュー５００５の螺旋溝５００４に対して係合するキャリッジＨＣはピン（不図示）を有し、ガイドレール５００３に支持されて矢印ａ，ｂ方向（主走査方向）を往復移動する。キャリッジＨＣには、記録ヘッドＩＪＨとインクタンクＩＴとを内蔵した一体型インクジェットカートリッジＩＪＣが搭載されている。
【００２２】
５００２は紙押え板であり、キャリッジＨＣの移動方向に亙って記録用紙Ｐをプラテン５０００に対して押圧する。５００７，５００８はフォトカプラで、キャリッジのレバー５００６のこの域での存在を確認して、モータ５０１３の回転方向切り換え等を行うためのホームポジション検知器である。
【００２３】
５０１６は記録ヘッドＩＪＨの前面をキャップするキャップ部材５０２２を支持する部材で、５０１５はこのキャップ内を吸引する吸引器で、キャップ内開口５０２３を介して記録ヘッドの吸引回復を行う。５０１７はクリーニングブレードで、５０１９はこのブレードを前後方向に移動可能にする部材であり、本体支持板５０１８にこれらが支持されている。ブレードは、この形態でなく周知のクリーニングブレードが本例に適用できることは言うまでもない。
【００２４】
又、５０２１は、吸引回復の吸引を開始するためのレバーで、キャリッジと係合するカム５０２０の移動に伴って移動し、駆動モータからの駆動力がクラッチ切り換え等の公知の伝達機構で移動制御される。
【００２５】
これらのキャッピング、クリーニング、吸引回復は、キャリッジがホームポジション側の領域に来た時にリードスクリュー５００５の作用によってそれらの対応位置で所望の処理が行えるように構成されているが、周知のタイミングで所望の動作を行うようにすれば、本例にはいずれも適用できる。
【００２６】
上述のように、インクタンクＩＴと記録ヘッドＩＪＨとは一体的に形成されて交換可能なインクカートリッジＩＪＣを構成しても良いが、これらインクタンクＩＴと記録ヘッドＩＪＨとを分離可能に構成して、インクがなくなったときにインクタンクＩＴだけを交換できるようにしても良い。
【００２７】
図８は、インクタンクとヘッドとが分離可能なインクカートリッジＩＪＣの構成を示す外観斜視図である。インクカートリッジＩＪＣは、図８に示すように、境界線Ｋの位置でインクタンクＩＴと記録ヘッドＩＪＨとが分離可能である。インクカートリッジＩＪＣにはこれがキャリッジＨＣに搭載されたときには、キャリッジＨＣ側から供給される電気信号を受け取るための電極（不図示）が設けられており、この電気信号によって、前述のように記録ヘッドＩＪＨが駆動されてインクが吐出される。
【００２８】
なお、図８において、５００はインク吐出口列である。また、インクタンクＩＴにはインクを保持するために繊維質状もしくは多孔質状のインク吸収体が設けられている。
【００２９】
＜第１実施形態＞
次に、上述したプリンタの制御を実行する制御装置の構成について説明する。
【００３０】
図１は本実施形態にかかるプリンタを制御する電気回路の主要構成を示すブロック図である。図１において１はＡＳＩＣ、２はＲＯＭ、３はパラレルインターフェース、４はＲＡＭ、５は記録ヘッド、６はキャリッジモータ、７は搬送モータ、８は給紙モータ、９は回復モータである。
【００３１】
ＡＳＩＣ１はクロック回路１１、ＣＰＵ１２およびプリンタ制御回路１３を内蔵する。クロック回路１１はＣＰＵ１２およびプリンタ制御回路１３にクロック信号を供給する。ＣＰＵ１２はプリンタ全般を制御するもので、プログラムを実行するプロセッサ部の他にタイマー機能、入出力ポート等を内蔵する。プリンタ制御回路１３はＡＳＩＣ１内部のバス信号１４を通じてＣＰＵ１２に接続され、ＣＰＵ１２からの指示に基づいてパラレルインターフェース３、ＲＡＭ４、記録ヘッド５、キャリッジモータ６、搬送モータ７、給紙モータ８、回復モータ９を制御する。
【００３２】
ＲＯＭ２はＣＰＵ１２が実行するプログラムや制御に必要な各種データを内蔵する。パラレルインターフェース３はコンピュータ等のホストシステムに接続され、記録データやコマンドを受信する。ＲＡＭ４は受信データや画像データ等の格納に使用される。記録ヘッド５は４色のインクジェットノズルが配列されたインクジェットヘッドであり、プリンタ制御回路１３によって制御される。
【００３３】
キャリッジモータ６はプリンタ制御回路１３によって制御され、キャリッジを主走査方向に走査する。搬送モータ７はプリンタ制御回路１３によって制御され、記録媒体を副走査方向に搬送する。給紙モータ７はプリンタ制御回路１３によって制御され、オートシードフィーダから記録媒体を給紙する。回復モータ８はプリンタ制御回路１３によって制御され、記録ヘッド５の拭き操作やインクの吸引操作を行う。
【００３４】
図２はＡＳＩＣ１のクロック系の構成を示すブロック図である。図２において、２１は発振回路（ＯＳＣ）、２２は選択回路（ＭＵＸ）、２３はＡＮＤゲート、３１は発振子、３２はＳＳＣＧである。
【００３５】
クロック回路１１は発振回路２１、選択回路２２、ＡＮＤゲート２３を内蔵する。発振回路２１は発振子３１に接続され、４８ＭＨｚのクロック信号ＣＬＫ１を出力する。ＣＬＫ１信号は選択回路２２に入力されると共に、ＡＮＤゲート２３を通った後にＣＬＫ＿ＯＵＴ信号としてＡＳＩＣ１の外部に出力され、ＳＳＣＧ３２に入力される。ＳＳＣＧ３２はＣＬＫ＿ＯＵＴ信号から４８ＭＨｚのクロック信号の供給を受けると、４８ＭＨｚに対して最大−３％までスペクトル拡散したクロック信号ＳＳ＿ＣＬＫを出力する。
【００３６】
そのため、ＳＳ＿ＣＬＫ信号はＣＬＫ＿ＯＵＴ信号に対しては非同期となる。ＳＳ＿ＣＬＫ信号はＡＳＩＣ１に入力され、ＣＬＫ２信号として選択回路２２に入力される。選択回路２２はプリンタ制御回路１３から出力される選択信号ＳＥＬのレベルに応じて、ＣＬＫ１信号またはＣＬＫ２信号のいずれかを選択してクロック信号ＳＣＬＫとしてプリンタ制御回路１３に出力する。クロック信号ＳＣＬＫ信号はＣＰＵ１２およびプリンタ制御回路１３にクロック信号として供給される。
【００３７】
また、クロック出力制御信号ＣＬＫ＿ＯＥがプリンタ制御回路１３からＡＮＤゲート２３に接続される。ＣＬＫ＿ＯＥがＬｏｗ（Ｌ）レベルのときは、ＣＬＫ＿ＯＵＴ信号にクロックは出力されず、ＳＳＣＧ３２は動作を停止する。
【００３８】
図３は選択回路２２の回路構成を示すブロック図である。図３において、４１、４２、５１および５２はＤフリップフロップであり、４３、４４、５３および５４はＯＲゲート、６１はＡＮＤゲートである。
【００３９】
選択信号ＳＥＬはＤフリップフロップ４１および４２によって、ＣＬＫ１信号の立下りおよび立上りにそれぞれ同期した後にＯＲゲート４３を経由してマスク信号ＭＡＳＫ１となる。ＣＬＫ１信号はＯＲゲート４４により、ＭＡＳＫ１信号でマスクされてＭＣＬＫ１信号となる。選択信号ＳＥＬの反転信号はＤフリップフロップ５１および５２によって、ＣＬＫ２信号の立下りおよび立上りにそれぞれ同期した後にＯＲゲート５３を経由してマスク信号ＭＡＳＫ２となる。ＣＬＫ２信号はＯＲゲート５４により、ＭＡＳＫ２信号でマスクされてＭＣＬＫ２信号となる。ＭＣＬＫ１信号とＭＣＬＫ２信号をＡＮＤゲート６１で論理積をとり、クロック信号ＳＣＬＫとなる。
【００４０】
クロック信号ＣＬＫ１とＣＬＫ２は非同期であるため、単純にＣＬＫ１とＣＬＫ２と切り替えるだけでは、切り替え時にクロック信号のＨｉｇｈ（Ｈ）レベル期間またはＬレベル期間が本来のクロック周期による期間よりも短くなり、回路が誤動作する可能性が生じる。しかしながら本実施形態においては選択回路２２の構成により、切り替え時においても切り替えたクロック信号のＨレベル期間およびＬレベル期間はＯＲゲート４４、５４による論理和演算により元のクロック信号よりも長くなるため、回路が誤動作する危険はない。
【００４１】
クロック信号の切り替えは、ＣＰＵ１２がプリンタ制御回路１３内のクロック制御レジスタにデータを書き込むことによって行われる。クロック制御レジスタの状態に応じて選択信号ＳＥＬのレベル（Ｈ／Ｌ）が変化する。ＣＰＵ１２およびプリンタ制御回路１３はクロック信号ＳＣＬＫによって動作しているため、選択信号ＳＥＬはＳＣＬＫ信号に同期して変化する。
【００４２】
図４はクロック信号ＳＣＬＫをＣＬＫ１からＣＬＫ２に切り替えるときのタイミングチャートである。当初はクロック信号としてＣＬＫ１が選択されているので、ＳＣＬＫ信号はＣＬＫ１の立ち上がり、立ち下がりのタイミングに一致している。ＣＰＵ１２がクロック制御レジスタを書き換えることにより、選択信号ＳＥＬはＬレベルからＨレベルに変化する。このＬレベルからＨレベルの変化はＳＣＬＫすなわちＣＬＫ１の立上りに同期して行われる。選択信号ＳＥＬがＨレベルになると、ＯＲゲート４３によってＭＡＳＫ１が直ちにＨレベルになりＣＬＫ１はマスクされる。このとき、ＭＳＡＫ２もＨレベルであり、ＣＬＫ２もマスクされているためＳＣＬＫはＨレベルに固定される。
【００４３】
一方ＣＬＫ２については、Ｄフリップフロップ５１および５２の働きにより、ＣＬＫ２が半周期以上経過してからＭＡＳＫ２がＬレベルになり、ＣＬＫ２のマスクが解除されてＬレベルになる。このときＣＬＫ２はＨレベルになった直後であるので、さらにＣＬＫ２が半周期経過した後にＳＣＬＫはＬレベルになる。以上の動作により、クロック切り替え時においてもＳＣＬＫのＨレベル期間およびＬレベル期間は元のクロックより短くなることはない。
【００４４】
図５はクロック信号ＳＣＬＫをＣＬＫ２からＣＬＫ１に切り替える場合のタイミングチャートである。当初はクロック信号としてＣＬＫ２が選択されているので、ＳＣＬＫはＣＬＫ２の立ち上がり、立ち下がりのタイミングに一致している。ＣＰＵ１２がクロック制御レジスタを書き換えることにより、選択信号ＳＥＬはＨレベルからＬレベルに変化する。この変化はＳＣＬＫすなわちＣＬＫ２の立上りに同期して行われる。
【００４５】
選択信号ＳＥＬがＬレベルになると、ＯＲゲート５３によってＭＡＳＫ２が直ちにＨレベルになりＣＬＫ２はマスクされる。一方、ＣＬＫ１もマスクされているためＳＣＬＫはＨレベルに固定される。
【００４６】
一方ＣＬＫ１については、Ｄフリップフロップ４１および４２の働きにより、ＣＬＫ１が半周期以上経過してからＭＡＳＫ１がＬレベルになり、ＣＬＫ１のマスクが解除されてＬレベルになる。このときＣＬＫ１はＨレベルになった直後であるので、さらにＣＬＫ１が半周期以上経過した後にＳＣＬＫはＬレベルになる。
【００４７】
以上の動作により、ＣＬＫ２からＣＬＫ１へのクロック切り替え時においてもＳＣＬＫのＨレベル期間およびＬレベル期間は元のクロックより短くなることはない。
【００４８】
図６はプリンタのクロック制御を示すフローチャートである。ステップＳ１において、クロック信号ＳＣＬＫとして発振回路２１が生成したクロック信号ＣＬＫ１が選択回路２２により選択される。
【００４９】
プリンタ制御回路１３はＬｏｗレベルのクロック出力制御信号ＣＬＫ＿ＯＥをＡＮＤゲート２３に出力し、ＣＬＫ＿ＯＵＴ信号のクロック出力を停止（ＯＦＦ）させる（ステップＳ２）。
【００５０】
ステップＳ３においてプリンタは待機状態となる。ステップＳ４においてプリンタはパラレルインターフェース３における記録データ受信を待ち、記録データを受信すると（Ｓ４−Ｙｅｓ）、ＣＰＵ１２はプリンタ制御回路１３内のクロック制御レジスタにデータの書き込みに基づき、ＣＬＫ＿ＯＥ信号をＨｉｇｈレベルにし、選択信号ＳＥＬのレベル（Ｈ／Ｌ）を変化させてクロック信号の切り替えを行なう。
【００５１】
データの受信に伴い、ＡＮＤゲート２３はＣＬＫ＿ＯＵＴ信号にクロック（ＣＬＫ１）を供給する。供給されたＣＬＫ１に基づきＳＳＣＧ３２はスペクトル拡散処理を施した非同期のＳＳ＿ＣＬＫを生成する。
【００５２】
ステップＳ６において、選択回路２２はクロック信号ＳＣＬＫとしてＳＳＣＧ３２が生成したクロック信号ＣＬＫ２を、ステップＳ４のデータ受信に基づき切り替えられたＳＥＬ信号に従い、選択する。
【００５３】
ステップ７においてプリンタは印刷動作を行う。印刷動作が終了すると、ステップＳ１、ステップＳ２を経由してステップＳ３においてプリンタは再度待機状態となる。
【００５４】
プリンタが待機中のときは、ＣＬＫ＿ＯＥ信号はＬレベルであり、ＣＬＫ＿ＯＵＴ信号にクロックは供給されずＳＳＣＧ３２は動作を停止する。ＳＳＣＧが消費する電力は動作するクロックの周波数に比例する傾向があるため、クロックを停止することによりＳＳＣＧの消費電力を削減することができる。
【００５５】
選択回路２２はＣＬＫ１信号を選択することにより、クロック信号ＳＣＬＫには発振回路２１が生成したクロック信号が出力される。待機中においては、ＣＰＵ１２およびプリンタ制御回路１３中で動作している回路部分が少ないため、回路が放射する雑音量も低下する。そのためスペクトル拡散したクロックを用いずとも、放射雑音レベルを規制値以下に留めることができる。
【００５６】
プリンタが動作中のときは、ＣＬＫ＿ＯＥ信号はＨレベルであり、ＣＬＫ＿ＯＵＴ信号としてクロック（ＣＬＫ１）が供給され、ＳＳＣＧ３２はスペクトル拡散したクロック信号ＳＳ＿ＣＬＫを出力する。この信号はＡＳＩＣ１に入力され、ＣＬＫ２として選択回路２２に入力される。ＣＬＫ２信号を選択することにより、クロック信号ＳＣＬＫにはスペクトル拡散したクロックが出力される。ＣＰＵ１２およびプリンタ制御回路１３はスペクトル拡散したＣＬＫ１とは非同期のクロックＣＬＫ２で動作することにより放射雑音が低減される。
【００５７】
尚、実施形態においてはクロックの発振回路はＡＳＩＣに内蔵されていたが、これは独立したデバイスであっても構わない。また、ＡＳＩＣ１とＳＳＣＧは独立したデバイスであったが、これをＡＳＩＣに内蔵することも可能である。
【００５８】
なお、以上の実施形態において、記録ヘッドから吐出される液滴はインクであるとして説明し、さらにインクタンクに収容される液体はインクであるとして説明したが、その収容物はインクに限定されるものではない。例えば、記録画像の定着性や耐水性を高めたり、その画像品質を高めたりするために記録媒体に対して吐出される処理液のようなものがインクタンクに収容されていても良い。
【００５９】
また、以上の実施形態は、特にインクジェット記録方式の中でも、インク吐出を行わせるために利用されるエネルギーとして熱エネルギーを発生する手段（例えば電気熱変換体やレーザ光等）を備え、前記熱エネルギーによりインクの状態変化を生起させる方式を用いることにより記録の高密度化、高精細化が達成できる。
【００６０】
その代表的な構成や原理については、例えば、米国特許第４７２３１２９号明細書、同第４７４０７９６号明細書に開示されている基本的な原理を用いて行うものが好ましい。この方式はいわゆるオンデマンド型、コンティニュアス型のいずれにも適用可能であるが、特に、オンデマンド型の場合には、液体（インク）が保持されているシートや液路に対応して配置されている電気熱変換体に、記録情報に対応していて核沸騰を越える急速な温度上昇を与える少なくとも１つの駆動信号を印加することによって、電気熱変換体に熱エネルギーを発生せしめ、記録ヘッドの熱作用面に膜沸騰を生じさせて、結果的にこの駆動信号に１対１で対応した液体（インク）内の気泡を形成できるので有効である。
【００６１】
この気泡の成長、収縮により吐出用開口を介して液体（インク）を吐出させて、少なくとも１つの滴を形成する。この駆動信号をパルス形状とすると、即時適切に気泡の成長収縮が行われるので、特に応答性に優れた液体（インク）の吐出が達成でき、より好ましい。
【００６２】
このパルス形状の駆動信号としては、米国特許第４４６３３５９号明細書、同第４３４５２６２号明細書に記載されているようなものが適している。なお、上記熱作用面の温度上昇率に関する発明の米国特許第４３１３１２４号明細書に記載されている条件を採用すると、さらに優れた記録を行うことができる。
【００６３】
記録ヘッドの構成としては、上述の各明細書に開示されているような吐出口、液路、電気熱変換体の組み合わせ構成（直線状液流路または直角液流路）の他に熱作用面が屈曲する領域に配置されている構成を開示する米国特許第４５５８３３３号明細書、米国特許第４４５９６００号明細書に記載された構成も本発明に含まれるものである。加えて、複数の電気熱変換体に対して、共通するスロットを電気熱変換体の吐出部とする構成を開示する特開昭５９−１２３６７０号公報や熱エネルギーの圧力波を吸収する開口を吐出部に対応させる構成を開示する特開昭５９−１３８４６１号公報に基づいた構成としても良い。
【００６４】
さらに、記録装置が記録できる最大記録媒体の幅に対応した長さを有するフルラインタイプの記録ヘッドとしては、上述した明細書に開示されているような複数記録ヘッドの組み合わせによってその長さを満たす構成や、一体的に形成された１個の記録ヘッドとしての構成のいずれでもよい。
【００６５】
加えて、上記の実施形態で説明した記録ヘッド自体に一体的にインクタンクが設けられたカートリッジタイプの記録ヘッドのみならず、装置本体に装着されることで、装置本体との電気的な接続や装置本体からのインクの供給が可能になる交換自在のチップタイプの記録ヘッドを用いてもよい。
【００６６】
また、以上説明した記録装置の構成に、記録ヘッドに対する回復手段、予備的な手段等を付加することは記録動作を一層安定にできるので好ましいものである。これらを具体的に挙げれば、記録ヘッドに対してのキャッピング手段、クリーニング手段、加圧あるいは吸引手段、電気熱変換体あるいはこれとは別の加熱素子あるいはこれらの組み合わせによる予備加熱手段などがある。また、記録とは別の吐出を行う予備吐出モードを備えることも安定した記録を行うために有効である。
【００６７】
さらに、記録装置の記録モードとしては黒色等の主流色のみの記録モードだけではなく、記録ヘッドを一体的に構成するか複数個の組み合わせによってでも良いが、異なる色の複色カラー、または混色によるフルカラーの少なくとも１つを備えた装置とすることもできる。
【００６８】
以上説明した実施の形態においては、インクが液体であることを前提として説明しているが、室温やそれ以下で固化するインクであっても、室温で軟化もしくは液化するものを用いても良く、あるいはインクジェット方式ではインク自体を３０°Ｃ以上７０°Ｃ以下の範囲内で温度調整を行ってインクの粘性を安定吐出範囲にあるように温度制御するものが一般的であるから、使用記録信号付与時にインクが液状をなすものであればよい。
【００６９】
加えて、積極的に熱エネルギーによる昇温をインクの固形状態から液体状態への状態変化のエネルギーとして使用せしめることで積極的に防止するため、またはインクの蒸発を防止するため、放置状態で固化し加熱によって液化するインクを用いても良い。いずれにしても熱エネルギーの記録信号に応じた付与によってインクが液化し、液状インクが吐出されるものや、記録媒体に到達する時点では既に固化し始めるもの等のような、熱エネルギーの付与によって初めて液化する性質のインクを使用する場合も本発明は適用可能である。
【００７０】
このような場合インクは、特開昭５４−５６８４７号公報あるいは特開昭６０−７１２６０号公報に記載されるような、多孔質シート凹部または貫通孔に液状または固形物として保持された状態で、電気熱変換体に対して対向するような形態としてもよい。本発明においては、上述した各インクに対して最も有効なものは、上述した膜沸騰方式を実行するものである。
【００７１】
＜他の実施形態＞
なお、本発明は、上述の第１実施形態で説明した制御装置を適用した複数の機器（例えばホストコンピュータ，インターフェース機器，リーダ，プリンタなど）から構成されるシステムに適用しても、一つの機器からなる装置（例えば、複写機，ファクシミリ装置など）に適用してもよい。
【００７２】
【発明の効果】
以上説明したように本発明によれば、待機時にはクロック信号として第１クロック生成手段（発振回路）が生成した第１クロック信号を選択し、第２クロック生成手段（ＳＳＣＧ）における第２クロック信号の生成を停止させることにより、ＳＳＣＧの消費電力を低減し、待機電力を削減することが可能になる。
【００７３】
また、動作時においては、クロック信号としてＳＳＣＧが生成した、第１クロック信号と非同期の第２クロック信号を使用することにより、放射雑音を低減することが可能になる。
【００７４】
更に、第１、第２クロック信号をそれぞれ切り替える際に、切り替え前のクロック信号のＨｉｇｈレベル期間およびＬｏｗレベル期間よりも短くならないように切り替えタイミングを制御することによって誤動作が発生する危険を防ぐことができる。
【図面の簡単な説明】
【図１】本実施形態にかかるプリンタを制御する電気回路の主要構成を示すブロック図である。
【図２】ＡＳＩＣ１のクロック系の構成を示すブロック図である。
【図３】選択回路２２の回路構成を示すブロック図である。
【図４】クロック信号ＳＣＬＫをＣＬＫ１からＣＬＫ２に切り替えるときのタイミングチャートである。
【図５】クロック信号ＳＣＬＫをＣＬＫ２からＣＬＫ１に切り替える場合のタイミングチャートである。
【図６】プリンタのクロック制御を示すフローチャートである。
【図７】本発明の好適な実施形態であるプリンタの外観を示す図である。
【図８】図１のプリンタのインクジェットカートリッジを示す図である。
【符号の説明】
１　　ＡＳＩＣ
１１　クロック回路
１２　ＣＰＵ
１３　プリンタ制御回路
２１　発振回路
２２　選択回路
３１　発振子
３２　ＳＳＣＧ
【図１】
2004046301.tif 000003
【図２】
2004046301.tif 000004
【図３】
2004046301.tif 000005
【図４】
2004046301.tif 000006
【図５】
2004046301.tif 000007
【図６】
2004046301.tif 000008
【図７】
2004046301.tif 000009
【図８】
2004046301.tif 000010